(57)【要約】【課題】汎用性に優れるユニット式壁を提供すること。【解決手段】  同形状の複数の開口部２１を有する枠体２と、前記枠体２の裏側に配索された流体の主流通経路３と、各々の前記開口部２１に１つずつ取外し可能に嵌め込まれる複数の嵌め込みピース５と、を具備し、  前記主流通経路３は、各々の前記開口部２１の裏側に分岐口３１ｏ、３２ｏを有し、  前記嵌め込みピース５の少なくとも１つである機能ピース５１、５２は、前記分岐口３１ｏ、３２ｏに連絡する連絡部６１ｉ、６２ｉと前記枠体２の表側に露出し外界に連絡する出入口部６１ｏ、６２ｏ、６３ｏとを有する前記流体の分岐流通経路６１、６２、６３を有し、  前記嵌め込みピース５の他の少なくとも１つである壁面形成ピース５３は、前記壁面形成ピース５３が嵌め込まれた前記開口部２１を塞ぐ壁部５７を有する、ユニット式壁１。【選択図】図２
2020117937.tif 000002
【特許請求の範囲】
【請求項１】
同形状の複数の開口部を有する枠体と、前記枠体の裏側に配索された流体の主流通経路と、各々の前記開口部に１つずつ取外し可能に嵌め込まれる複数の嵌め込みピースと、を具備し、
前記主流通経路は、各々の前記開口部の裏側に分岐口を有し、
前記嵌め込みピースの少なくとも１つである機能ピースは、前記分岐口に連絡する連絡部と前記枠体の表側に露出し外界に連絡する出入口部とを有する前記流体の分岐流通経路を有し、
前記嵌め込みピースの他の少なくとも１つである壁面形成ピースは、前記壁面形成ピースが嵌め込まれた前記開口部を塞ぐ壁部を有する、ユニット式壁。
【請求項２】
前記機能ピースは、前記出入口部とともに前記機能ピースが嵌め込まれた前記開口部を塞ぐ第２の壁部を有する、請求項１に記載のユニット式壁。
【請求項３】
前記機能ピースは、更に、前記分岐流通経路からの前記流体の漏出を検知する、検知装置を有する、請求項１又は請求項２に記載のユニット式壁。
【請求項４】
前記機能ピースは箱状の区画部を有し、
前記分岐流通経路の少なくとも一部及び前記検知装置は、前記区画部の中に納められ、
前記検知装置は、前記区画部内で前記流体の漏出を検知する、請求項３に記載のユニット式壁。
【請求項５】
前記主流通経路の少なくとも一部は箱状の流路区画部の中に納められ、
前記検知装置は、前記流路区画部内で前記流体の漏出を検知する、請求項３又は請求項４に記載のユニット式壁。
【請求項６】
前記主流通経路は、第１の流体が流通する第１主流通経路と、前記第１の流体とは異なる種類の第２の流体が流通する第２主流通経路と、を有し、
前記分岐流通経路は、前記第１主流通経路に連絡する第１分岐流通経路と、前記第２主流通経路に連絡する第２分岐流通経路とを有する、請求項１〜請求項５の何れか一項に記載のユニット式壁。
【請求項７】
前記第１分岐流通経路及び前記第２分岐流通経路は、同一の前記機能ピースに設けられる、請求項６に記載のユニット式壁。
【請求項８】
前記第１分岐流通経路及び前記第２分岐流通経路は、異なる前記機能ピースに設けられる、請求項６に記載のユニット式壁。
【請求項９】
前記分岐口又は前記連絡部に取付けられるバルブと、前記バルブを開く開駆動部と、を有し、
前記開駆動部は、前記連絡部を前記分岐口に取付けた後に前記バルブを開く、請求項１〜請求項８の何れか一項に記載のユニット式壁。
【発明の詳細な説明】
【技術分野】
【０００１】
本発明は、壁を通じて流体を遣り取りできるユニット式壁に関する。
【背景技術】
【０００２】
壁は、部屋、通路、建造物、車両、船舶、航空機に代表される様々な場所に設けられ、当該壁のある空間を、物理的に隔たりのある不連続な、又は、一部が連続する複数の空間に区画する。壁は、空間を物理的に隔てる機能以外にも、様々な機能を有し得る。
【０００３】
例えば、特許文献１には、電器用のスイッチやコンセントを壁に配設する技術が紹介されている。また、当該特許文献１の特許請求の範囲には、複数の開口部を有する取付枠と、該取付枠に設けられた複数の開口部に、着脱可能に嵌め込まれるブロックと、から構成される電器パネルユニットであって、前記ブロックを接続具または操作具を内装した接続ブロックと、接続具又は操作具を有しないダミーブロックと、から構成する電器パネルユニットが紹介されている。更に、当該特許文献１の発明を実施するための最良の形態の欄には、当該電器パネルユニットを壁面に適用できる旨が開示されている。
特許文献１には、実施の形態として、取付枠３に設けた連通孔３ｃを介して任意の開口部３ａに配線５を通すことができるようにし、開口部３ａにはスイッチ等が組み込まれたブロック４を挿し込み、当該スイッチ等には配線５を接続できる旨も開示されている。
【０００４】
特許文献１に紹介されている技術は、複数の部品によって構成される所謂ユニット式の壁に関するものということができ、特許文献１に開示されている当該ユニット式壁によると、電器への給電機能や、スイッチによる電器の給電操作機能等を壁に付与できるといえる。
【０００５】
しかし乍ら、近年ではユーザーのニーズが多様化しているため、壁にも、特許文献１に紹介されている給電機能に留まらない、各種の機能を付与することが要求されている。
【先行技術文献】
【特許文献】
【０００６】
【特許文献１】特開２００５−３２８６１２号公報
【発明の概要】
【発明が解決しようとする課題】
【０００７】
本発明は上記事情に鑑みて為されたものであり、汎用性に優れるユニット式壁を提供することを目的とする。
【課題を解決するための手段】
【０００８】
上記課題を解決する本発明のユニット式壁は、
同形状の複数の開口部を有する枠体と、前記枠体の裏側に配索された流体の主流通経路と、各々の前記開口部に１つずつ取外し可能に嵌め込まれる複数の嵌め込みピースと、を具備し、
前記主流通経路は、各々の前記開口部の裏側に分岐口を有し、
前記嵌め込みピースの少なくとも１つである機能ピースは、前記分岐口に連絡する連絡部と前記枠体の表側に露出し外界に連絡する出入口部とを有する前記流体の分岐流通経路を有し、
前記嵌め込みピースの他の少なくとも１つである壁面形成ピースは、前記壁面形成ピースが嵌め込まれた前記開口部を塞ぐ壁部を有する、ユニット式壁である。
【発明の効果】
【０００９】
本発明のユニット式壁は、汎用性に優れる。
【図面の簡単な説明】
【００１０】
【図１】実施例１のユニット式壁を模式的に表す説明図である。
【図２】実施例１のユニット式壁における枠体、主流通経路及び分岐流通経路を模式的に説明する説明図である。
【図３】実施例１のユニット式壁における機能ピースを図１中の表側から見た様子を模式的に表す説明図である。
【図４】実施例１のユニット式壁における機能ピースを図１中の右側から見た様子を模式的に表す説明図である。
【図５】実施例２のユニット式壁を模式的に表す説明図である。
【図６】実施例３のユニット式壁における第２主流通経路及び第１機能ピースを模式的に表す説明図である。
【図７】実施例３のユニット式壁における第２主流通経路及び第１機能ピースを模式的に表す説明図である。
【図８】実施例３のユニット式壁における第２主流通経路及び第１機能ピースを模式的に表す説明図である。
【図９】実施例４のユニット式壁を模式的に表す説明図である。
【図１０】実施例５のユニット式壁を模式的に表す説明図である。
【図１１】実施例６のユニット式壁における第１機能ピースを模式的に表す説明図である。
【発明を実施するための形態】
【００１１】
以下に、本発明を実施するための形態を説明する。なお、特に断らない限り、本明細書に記載された数値範囲「ａ〜ｂ」は、下限ａ及び上限ｂをその範囲に含む。そして、これらの上限値及び下限値、ならびに実施例中に列記した数値も含めてそれらを任意に組み合わせることで数値範囲を構成し得る。さらに、これらの数値範囲内から任意に選択した数値を、新たな上限や下限の数値とすることができる。
【００１２】
本発明のユニット式壁は、枠体、流体の主流通経路、及び、複数の嵌め込みピースを具備する。枠体は、同形状の複数の開口部を有する。枠体の当該開口部には、各々１つずつ、嵌め込みピースが取外し可能に嵌め込まれる。枠体は、同形状の開口部を一組のみ有しても良いし、同形状の開口部を複数組有しても良い。枠体が同形状の開口部を複数組有する場合、異なる組に属する開口部は、同じ形状であっても良いし異なる形状であっても良い。
【００１３】
主流通経路は、枠体の裏側に配索され、各々の開口部の裏側に分岐口を有する。つまり、主流通経路の分岐口は、個々の開口部に応じた位置及び数で設けられる。
【００１４】
嵌め込みピースは、少なくとも１つの機能ピースと、少なくとも１つの壁面形成ピースとを有する。開口部には機能ピースと壁面形成ピースとの何れか一方が嵌め込まれる。したがって、当該機能ピースの表側の部分と壁面形成ピースの表側の部分とは、ユニット式壁における壁面の少なくとも一部を構成するといえる。
【００１５】
嵌め込みピースのうち機能ピースは、流体の分岐流通経路を有する。分岐流通経路は、上記した主流通経路に連絡される流体の流通経路である。
【００１６】
詳しくは、分岐流通経路は、連絡部及び出入口部を有する。連絡部は主流通経路に設けられた分岐口に連絡し、出入口部は枠体の表側に露出し外界に連絡する。つまり、枠体の表側における外界と、枠体の裏側に配策される主流通経路とは分岐流通経路によって連絡されるといい得る。また、ユニット式壁の表側において、当該分岐流通経路の出入口部を介して、外界と主流通経路との間の流体の遣り取りを行うことが可能である。
【００１７】
ところで、機能ピースは、枠体に設けられた複数の開口部の何れかに嵌め込まれる。当該複数の開口部は同形状であるため、機能ピースは、複数の開口部の何れに嵌め込んでも良い。つまり、本発明のユニット式壁においては、機能ピースを嵌め込む開口部を適宜適切に選択することで、出入口部を適宜適切な位置に自在に配置することができる。また、機能ピースを他の開口部に付け替えることで、当該出入口部の位置を変更することもできる。
【００１８】
一方、嵌め込みピースのうち壁面形成ピースは、当該壁面形成ピースが嵌め込まれた開口部を塞ぐ壁部を有するものであり、機能ピース同様に開口部に嵌め込まれる。各々の開口部に１つずつ嵌め込みピースが嵌め込まれることから、機能ピースの嵌め込まれていない開口部には、壁面形成ピースが嵌め込まれる。したがって、ユニット式壁における表側の壁面の少なくとも一部は、壁面形成ピースの壁部、及び、機能ピースの出入口部を含む表側の部分で構成される。
出入口部は、流体の種類や用途に応じて、適宜設定すれば良い。
【００１９】
例えば流体が水であれば、主流通経路を水道等の水源に接続し、枠体部の裏側において主流通経路に流通する水を、分岐流通経路を通じて枠体の表側すなわちユニット式壁の表側に導き、更に、出入口部を経てユニット式壁の表側から取り出すこともできる。この場合、蛇口等の水栓を出入口部とすれば良い。
【００２０】
又は、分岐流通経路及び主流通経路を排水経路とすることもできる。この場合、分岐流通経路の出入口部に廃棄した水等の流体を、分岐流通経路によって枠体の表側から裏側に向けて導き、主流通経路を介して排出することもできる。この場合、排水口やシンクを出入口部とし、主流通経路には下水管や排液槽等を接続すれば良い。
【００２１】
このように、本発明のユニット式壁における主流通経路及び分岐流通経路は、枠体の裏側から表側に向けた流体の供給経路として用いることもできるし、枠体の表側から裏側に向けた流体の排出経路として用いることもできる。
【００２２】
また、例えば流体が空気であれば、主流通経路をエアーコンディショナー等の送風装置に接続し、枠体部の裏側で主流通経路を流れる空調空気を、分岐流通経路を経て枠体の表側に導き、出入口部を通じてユニット式壁の表側から取り出すこともできる。この場合、空調空気の吹出口を出入口部とすれば良い。
【００２３】
または、分岐流通経路及び主流通経路を排気経路として、ユニット式壁の表側の外界から枠体の裏側に向けて、空気を排出することもできる。この場合、主流通経路には、出入口部を介して外界の空気を強制的に吸引するための送風ファン等を接続するのが良い。
【００２４】
更には、例えば流体が燃料ガスであれば、主流通経路をガスボンベやガス管等のガス供給装置に接続し、ガス栓を出入口部として、主流通経路を流れる燃料ガスを、分岐流通経路を経てユニット式壁の表側から取り出すこともできる。
【００２５】
このように、本発明のユニット式壁は、枠体の裏側と表側とで流体を遣り取りすることで、壁に、電器用の給電機能に留まらない多彩な機能を付与できる。つまり、本発明のユニット式壁は汎用性に優れる。
【００２６】
また、出入口部を有する機能ピースは、開口部のある任意の位置に嵌め込むことができ、又、位置を変更することもできる。つまり、本発明のユニット式壁における出入口部は、ユーザーのニーズに応じた種々の位置に配置することができる。このことによっても、本発明のユニット式壁は汎用性に優れる。
【００２７】
本発明のユニット式壁は、例えば、室内と通路とを区画するための壁として用いることもできるし、１つの室内を部分的に区画するためのパーティションとして用いることもできるし、屋内と屋外とを区画するための壁として用いることもできる。これらの場合、本発明のユニット式壁における表側は、室内側であっても良いし、通路側であっても良いし、屋外側であっても良い。これに限らず、本発明のユニット式壁は、例えば、部屋、通路、建造物、車両、船舶、航空機に代表される様々な場所に様々な方向で設けることができる。本発明のユニット式壁における表側についても同様に、種々に設定し得る。
【００２８】
本発明のユニット式壁において、開口部は、枠体の全体に均等に設けても良いし、枠体の一部のみに偏って設けても良い。
また、機能ピースの表側の面と壁面形成ピースの壁部における表側の面とは、統一性のある意匠としても良いし、全く異なる意匠としても良い。
【００２９】
更に、枠体には、開口部以外に開口する部分を設けても良い。この場合、当該開口部以外の開口は開口したままであっても良いし、嵌め込みピース以外のピースを嵌め込んでも良い。なお、当該開口部以外の開口の裏側には、分岐口が配置されなくても良いし、主流通経路が配策されなくても良い。当該開口部以外の開口は、開口部と異なる形状であっても良いし、開口部と同形状であっても良い。必要に応じて、当該開口部以外の開口に壁面形成ピースを嵌め込むこともできる。
【００３０】
本発明のユニット式壁によると、これらの組み合わせによって、優れた意匠性を発揮し得る。
【００３１】
また、本発明のユニット式壁は、２以上の異なる流体を流通させるものであっても良い。つまり、本発明のユニット式壁は、異なる流体が流通する複数の主流通経路を有しても良い。この場合、各主流通経路に連絡する各分岐流通経路にもまた、異なる流体が流通する。この場合、各分岐流通経路は同一の機能ピースに設けても良いし、異なる機能ピースに設けても良い。
【００３２】
したがって、本発明のユニット式壁における嵌め込みピースは、用途や構造の異なる２種以上の機能ピースを有しても良いし、分岐流通経路を１つの機能ピースに複数設けても良い。更には、嵌め込みピースは、材料や外観の異なる２種以上の壁面形成ピースを有しても良い。
本発明のユニット式壁は、これらの組み合わせによって、優れた機能性を発揮し、汎用性により優れたものとなり得る。
【００３３】
本発明のユニット式壁は、主流通経路及び分岐流通経路に流体を流通させるものである。
既述したように、流体としては空気や水、燃料ガス等の種々のものを選択し得るところ、当該流体の種類によっては、主流通経路や分岐流通経路からの漏出が好ましくない場合がある。
【００３４】
例えば、流体として空気を選択する場合には、流体すなわち空気が主流通経路や分岐流通経路から多少漏出しても大きな問題にならない場合が多い。しかし、流体として水や廃液、燃料ガス等を選択する場合には、流体の漏出により、本発明のユニット式壁、当該ユニット壁の周囲、及び当該ユニット壁近傍にいるユーザー等に悪影響を及ぼす可能性がある。
【００３５】
したがって、本発明のユニット式壁は、流体の漏出を抑制するための機構を有するのが好ましい。
【００３６】
例えば、本発明のユニット式壁における分岐流通経路の連絡部と、当該連絡部に連絡される主流通経路の分岐口と、の少なくとも一方には、開閉弁を設けるのが好ましい。なお、分岐連絡経路に連絡されない分岐口からの流体の漏出を図ることを考慮すると、全ての分岐口に栓または開閉弁を設けるのがより好ましい。
【００３７】
更に、本発明のユニット式壁は、上記した流体の漏出を抑制するための機構として、流体の漏出を検知するための検知装置を有するのが好ましい。検知装置としては各種のセンサを使用できる。検知装置は、警報機等の各種の報知システムに接続して、流体の漏出をユーザーや警備システム等に報知するのが良い。
【００３８】
検知装置は、検知すべき流体の種類に応じて適宜適切に選択すれば良い。また、本発明のユニット式壁に、複数種の流体を流通させるべく、複数の主流通経路及び分岐流通経路を設ける場合には、本発明のユニット式壁は各々の流体に対応する複数の検知装置を備えるのが好ましい。
なお、検知装置は、主流通経路及び分岐流通経路の何れに設けても良いが、流体の漏出が生じている位置を突き止めるためには、少なくとも分岐流通経路に配設するのが好ましい。
【００３９】
検知装置の種類及びその配設位置について説明する。
例えば流体が水であれば、検知装置として流量計を選択することができる。流量計は、主流通経路や分岐流通経路の内部の流体圧の変化に基づいて、流体の漏出を検知する。流量計は、主流通経路及び／又は分岐流通経路の内部に配設することができ、分岐流通経路の内部に配設するのが好ましく、主流通経路の内部及び分岐流通経路の内部の両方に配設するのがより好ましい。
その他、流体が水である場合の検知装置として、電極間抵抗方式の漏水センサを用いても良い。当該漏水センサは２つの電極を有し、当該２つの電極に水が接触すると、水を介して２つの電極間に電流が流れる。このため、当該漏水センサによると、電流値を基に漏水すなわち液体の漏出を検知できる。漏水センサの配設方法としては、例えば、主流通経路及び／又は分岐流通経路の表面に巻き付ける等の方法を採用できる。
【００４０】
流体が水や排水、廃油等の液体である場合の検知装置として、赤外線センサや画像センサ等を選択することもできる。赤外線センサや画像センサは、主流通経路や分岐流通経路の外観の変化に基づいて、流体の漏出を検知する。赤外線センサや画像センサは、主流通経路及び／又は分岐流通経路の外部において、これらの近傍に配設するのが好ましい。
【００４１】
なお、流体が排水や廃油等の廃液である場合、つまり、主流通経路や分岐流通経路が廃液経路である場合には、主流通経路や分岐流通経路の内部に作用する流体圧が比較的小さい。この場合には、廃液を効率良く排出するために、主流通経路や分岐流通経路を流体の流れ方向の先側に向けて傾けるのが好ましい。分岐流通経路については、ユニット式壁の裏側に向けて傾けるのが好ましく、主流通経路については、下水管や排液槽に向けて傾けるのが好ましい。
【００４２】
そしてこの場合、検知装置は、主流通経路や分岐流通経路において、最も下側に位置する部分に設けるのが好ましい。漏出した流体は、主流通経路や分岐流通経路の外面を伝い、重力方向に移動すると考えられる。このため、主流通経路や分岐流通経路において最も下側に位置する部分には、他の部分に比べて多くの流体が集まり、当該部分においては流体の漏出を早期に検知し易いためである。
【００４３】
参考までに、この場合の主流通経路や分岐流通経路の傾斜角は、水平を０°としたときに、２°以上であるのが好ましく、５°以上であるのがより好ましく、１０°以上であるのが更に好ましい。
【００４４】
流体が燃料ガス等の気体である場合の検知装置として、ガスセンサを選択できる。ガスセンサは、主流通経路及び／又は分岐流通経路の外部において、これらの近傍に配設するのが好ましい。
【００４５】
ところで、ガスセンサにより燃料ガスの漏出を精度高くセンシングするためには、検知装置の周囲に、気体の出入りの少ない空間を区画形成するのが好ましい。例えば、ガスセンサ、及び、少なくとも当該ガスセンサ近傍に位置する分岐流通経路の周囲を箱状の区画部で覆い、これらを当該区画部の中に納めるのが好ましい。又は、ガスセンサ、及び、少なくとも当該ガスセンサ近傍に位置する主流通経路の周囲を箱状の流路区画部で覆い、これらを当該流路区画部の中に納めるのが好ましい。
【００４６】
これらの場合、ガスセンサは、上記の区画部または流路区画部内に生じた燃料ガス濃度の変化に基づいて燃料ガスの漏出を検知し得る。例えば、ガスセンサ及び分岐流通経路のある区画部の内部と外界とは、区画部によって物理的に隔てられているため、区画部内外でのガス交換は阻害される。このため、分岐流通経路から漏出した燃料ガスは拡散せず区画部内に滞留し、ガスセンサによって精度高くセンシングされる。主流通経路及びガスセンサを流路区画部の中に納める場合についても同様である。
【００４７】
ガスセンサ以外の検知装置を用いる場合にも、上記の区画部や流路区画部を設けることで、分岐流通経路や主流通経路から流出した流体を、区画部や流路区画部の内部に滞留させることができ、流体の外界への拡散や漏出を抑制できる。このため、検知装置の種類を問わず、分岐流通経路の少なくとも一部及び検知装置は区画部内に納めるのが好ましく、主流通経路の少なくとも一部及び検知装置は流路区画部内に納めるのが好ましい。
なお、分岐流通経路が機能ピースの一部である都合上、区画部は機能ピースの一部とみなし得る。
【００４８】
以下、具体例を挙げて本発明のユニット式壁を説明する。
【００４９】
（実施例１）
図１は実施例１のユニット式壁を模式的に表す説明図である。図２は実施例１のユニット式壁における枠体、主流通経路及び分岐流通経路を模式的に説明する説明図である。図３は実施例１のユニット式壁における機能ピースを図１中の表側から見た様子を模式的に表す説明図である。図４は実施例１のユニット式壁における機能ピースを図１中の右側から見た様子を模式的に表す説明図である。
以下、実施例において、上、下、左、右、表、裏とは、図１に示す上、下、左、右、表、裏を意味する。
【００５０】
図１に示すように、実施例１のユニット式壁１は、枠体２と、主流通経路３と、嵌め込みピース５とを具備する。
【００５１】
実施例１のユニット式壁１における枠体２は、多数の柱２０が組み合わされることで形成されている。柱２０は略等間隔で配置され、隣り合う柱２０同士の間には多数の開口部２１が区画形成されている。各開口部２１は、略同形状であり、上下方向に複数段配列するとともに、左右方向にも複数列配列している。
【００５２】
枠体２の裏側には、流体の主流通経路３が配策されている。
詳しくは、図２に示すように、実施例１のユニット式壁１は、第１主流通経路３１及び第２主流通経路３２の２種の主流通経路３を有する。第１主流通経路３１及び第２主流通経路３２は、各々、同じ段にある開口部２１の裏側を横切るよう、左右方向に延びている。また、第１主流通経路３１及び第２主流通経路３２は、図示しないが、左端部及び右端部において各々折り返されて、全ての段の開口部２１の裏側を通るよう、上下方向に繰り返し配列している。
つまり、実施例１のユニット式壁１は、１つの第１主流通経路３１及び１つの第２主流通経路３２を有し、当該第１主流通経路３１及び第２主流通経路３２は、折り返されて、全ての開口部２１の裏側を通るよう配策されている。
【００５３】
主流通経路３の一部は、図１に破線で示す箱状の流路区画部９５の中に納められている。具体的には、流路区画部９５は、枠体２の裏側全体に設けられ、当該枠体２の裏側にある第１主流通経路３１及び第２主流通経路３２を外界から隔離する。
【００５４】
第１主流通経路３１及び第２主流通経路３２は、各開口部２１に対して１つずつの分岐口３１ｏ、３２ｏを有する。第１主流通経路３１の分岐口を第１分岐口３１ｏと称し、第２主流通経路３２の分岐口を第２分岐口３２ｏと称する。開口部２１と第１分岐口３１ｏと第２分岐口３２ｏとの位置関係は、全ての開口部２１について同じである。
【００５５】
実施例１のユニット式壁１において、第１主流通経路３１は図略のエアーコンディショナーに接続され、当該エアーコンディショナーから供給される空調空気の流通経路となる。また、第２主流通経路３２は図略の水道管に接続され、水の流通経路となる。
【００５６】
図１に示すように、実施例１のユニット式壁１は、多数の嵌め込みピース５を有する。各嵌め込みピース５は、各々の前記開口部２１に１つずつ嵌め込まれている。各嵌め込みピース５は開口部２１から取り外すことも可能である。
【００５７】
詳しくは、上記多数の嵌め込みピース５は、２種の機能ピース５１、５２と１種の壁面形成ピース５３とで構成される。
２種の機能ピース５１、５２の一方は、第１主流通経路３１に連絡する第１分岐流通経路６１と、第２主流通経路３２に連絡する第２分岐流通経路６２と、の両方を有する第１機能ピース５１である。２種の機能ピースの他方は、第１主流通経路３１に連絡する第１分岐流通経路６１のみを有する第２機能ピース５２である。図１及び図２に示すように、実施例１のユニット式壁１では、第２機能ピース５２は、最上段に位置する全ての開口部２１に各々１つずつ嵌め込まれている。また、第１機能ピース５１は、それよりも下段に位置する１つの開口部２１に嵌め込まれている。それ以外の開口部２１には、全て、壁面形成ピース５３が嵌め込まれる。
【００５８】
図３及び図４に示すように、第１機能ピース５１は、箱状をなす第１区画部５５と、当該第１区画部５５の内部を貫通する第１分岐流通経路６１及び第２分岐流通経路６２と、で構成されている。
【００５９】
第１分岐流通経路６１は、第１区画部５５の裏側に露出して第１分岐口３１ｏに連絡する第１連絡部６１ｉと、第１区画部５５の表側に露出して外界に連絡する第１出入口部６１ｏとを有する。
図３に示すように、第１出入口部６１ｏは、複数のブレードを有する空調空気の吹出口である。また、図４に示すように、第１連絡部６１ｉには第１バルブｖ１が設けられ、第１連絡部６１ｉは当該第１バルブｖ１を介して第１分岐口３１ｏに連絡する。
【００６０】
第２分岐流通経路６２は、第１区画部５５の裏側に露出して第２分岐口３２ｏに連絡する第２連絡部６２ｉと、第１区画部５５の表側に露出して外界に連絡する第２出入口部６２ｏとを有する。
図３に示すように、第２出入口部６２ｏは、水道の蛇口である。図４に示すように、第２連絡部６２ｉには第２バルブｖ２が設けられ、第２連絡部６２ｉは当該第２バルブｖ２を介して第２分岐口３２ｏに連絡する。
【００６１】
第２機能ピース５２は、第１分岐流通経路６１のみを有し第２分岐流通経路６２を有さないため、図１に示すように、空調空気の吹出口すなわち第１出入口部６１ｏを有するが、蛇口すなわち第２出入口部６２ｏを有さない。
第２機能ピース５２は、箱状をなす第２区画部５６と、当該第２区画部５６に一体化された第１分岐流通経路６１と、を有し、第２分岐流通経路６２を有さないこと以外は第１機能ピース５１と同様である。
なお、第１連絡部６１ｉが取付けられない第１分岐口３１ｏ、及び、第２連絡部６２ｉが取付けられない第２分岐口３２ｏは、図略の栓により閉じられている。
【００６２】
更に、図１に示すように、壁面形成ピース５３もまた、第１区画部５５及び第２区画部５６と略同形の箱状をなす。各壁面形成ピース５３は壁部５７を有する。壁部５７は、箱状の壁面形成ピース５３における表側の壁面である。図１に示すように、各壁面形成ピース５３が嵌め込まれると、開口部２１の表面は、壁部５７によって塞がれる。
【００６３】
図１に示すように、第１機能ピース５１が取付けられた開口部２１は、第１出入口部６１ｏ、第２出入口部６２ｏ、及び、第１区画部５５における表側の壁面５８によって塞がれる。このため、第１区画部５５における表側の壁面５８もまた、壁部５７同様に、実施例１のユニット式壁１における壁の一部を構成するといえる。この、第１区画部５５における表側の壁面５８は、本発明のユニット式壁１における第２の壁部に相当する。
【００６４】
同様に、第２機能ピース５２が取付けられた開口部２１は、第１出入口部６１ｏ、及び、第２区画部５６における表側の壁面５９によって塞がれる。このため、第２区画部５６における表側の壁面５９もまた、実施例１のユニット式壁１における壁の一部を構成するといえる。つまり、第２区画部５６における表側の壁面５９もまた、本発明のユニット式壁１における第２の壁部に相当するといえる。
【００６５】
実施例１のユニット式壁１によると、壁面形成ピース５３の壁部５７のみならず、第１機能ピース５１及び第２機能ピース５２における表側の壁面５８、５９によっても、開口部２１を塞いでいる。図示しないが、これらは色、模様、質感が統一されている。このため、実施例１のユニット式壁１の表面は、統一性のある優れた意匠を表示する。このため、実施例１のユニット式壁１は、意匠性に優れる。なお、例えば、第１出入口部６１ｏすなわち空調空気の吹出口が非常に大きく、第２機能ピース５２の表面全面を占める場合等、開口部２１と出入口部６１ｏ、６２ｏとの形状によっては、第２の壁部５８、５９を設けず、機能ピース５１、５２の表面全面を出入口部６１ｏ、６２ｏで構成しても良い。
【００６６】
図４に示すように、第２分岐流通経路６２の内部には、流量計９０が配設されている。流量計９０は水の流量を監視する。流量計９０によって検知される水の流量が極微量であり、当該極微量の水の流通が連続的に検知された場合に、流体が漏出したと判断できる。
【００６７】
また、第１区画部５５の内部には赤外線センサ９１が配設されている。赤外線センサ９１は第２分岐流通経路６２の外部において、当該第２分岐流通経路６２の外形の変化を経時的に監視する。第２分岐流通経路６２の外形の変化が検知された場合に、流体が漏出したと判断できる。
なお、図示しないが、流路区画部９５の内部にも赤外線センサが配設されている。当該赤外線センサもまた、水の漏出を検知する。
第１区画部５５の内部に配設された流量計９０及び赤外線センサ９１、並びに、流路区画部９５の内部に配設された図略の赤外線センサは、本発明のユニット式壁１における検知装置に相当する。
【００６８】
実施例１のユニット式壁１は、同形の開口部２１を複数有し、各開口部２１に、各々、第１機能ピース５１、第２機能ピース５２、壁面形成ピース５３の何れかが嵌め込まれる。各開口部２１の形状及び各嵌め込みピース５の形状は同じであり、かつ、開口部２１と第１分岐口３１ｏと第２分岐口３２ｏとの位置関係は、全ての開口部２１について同じである。このため、嵌め込みピース５、すなわち、第１機能ピース５１、第２機能ピース５２、及び壁面形成ピース５３は、どの開口部２１に取付けても良いし、また、元々取付けていた開口部２１とは別の開口部２１に付け替えることもできる。このため、実施例１のユニット式壁１は、汎用性に優れる。
【００６９】
また、実施例１のユニット式壁１では、主流通経路３に流体である水や空気を流通させ、分岐流通経路を介してこれらをユニット式壁１の表側から取り出すことができる。したがって、実施例１のユニット式壁１は、給電機能に留まらず、流体の供給機能を有することで、汎用性に優れたものといい得る。
更に、実施例１のユニット式壁１は、水と空気という異なる流体を、同時に、当該ユニット式壁１を介した表側と裏側とで遣り取りすることができる。このように多様な流体を同時に遣り取りすることができる点においても、本発明のユニット式壁１は優れた機能性を発揮する。
【００７０】
実施例１では第１分岐流通経路６１及び第２分岐流通経路６２を同一の第１機能ピース５１に設けたが、必要に応じて、第１分岐流通経路６１及び第２分岐流通経路６２を別々の機能ピースに設けても良い。この場合には、第１出入口部６１ｏ及び第２出入口部６２ｏの配置の自由度が更に向上する利点がある。
【００７１】
（実施例２）
実施例２のユニット式壁は、枠体及び嵌め込みピースの形状以外は、実施例１のユニット式壁と概略同じものである。
図５は実施例２のユニット式壁を模式的に表す説明図である。以下、実施例１のユニット式壁との相違点を中心に実施例２のユニット式壁を説明する。
【００７２】
図５に示すように、実施例２のユニット式壁１では、枠体２における隣り合う柱２０の間に、略板状の支持壁２５が架け渡されている。詳しくは、支持壁２５は、各開口部２１の左側面２１ｌ、右側面２１ｒ及び底面２１ｆを部分的に区画する。したがって、嵌め込みピース５は開口部２１内において支持壁２５によって支持されるといえる。実施例２のユニット式壁１によると、支持壁２５を設けたことで、嵌め込みピース５を開口部２１内において安定的に支持できるといえる。
【００７３】
左右の支持壁２５には、各々、第１位置決め部２６が設けられている。各第１位置決め部２６は、開口部２１内に向けて開口する凹状をなす。嵌め込みピース５の左右側壁には、各々、第１位置決め部２６に対応する位置に、第２位置決め部５４が設けられている。各第２位置決め部５４は、嵌め込みピース５の左右側壁に各々設けられた凹部５４ｃと、第１位置決め部２６に対応する凸状をなす位置決め係合部５４ｅと、図略のばねとで構成されている。位置決め係合部５４ｅは各凹部５４ｃに挿入され、ばねによって凹部５４ｃから突出する方向に付勢されている。また、位置決め係合部５４ｅの突出量は、裏側から表側にむけて徐々に大きくなっている。
嵌め込みピース５を開口部２１に嵌め込むと、第１位置決め部２６に第２位置決め部５４の位置決め係合部５４ｅが入り込んで係合するため、開口部２１に対して嵌め込みピース５が位置決めされる。このことによっても、実施例２のユニット式壁１における嵌め込みピース５は、開口部２１内において安定的に支持される。なお、各嵌め込みピース５には、各々、解除ボタン５４ｒが設けられている。解除ボタン５４を押圧すると、ばねの付勢力に抗して位置決め係合部５４ｅが引っ込むために、各嵌め込みピース５を開口部２１から容易に取り外すことができる。
【００７４】
実施例２のユニット式壁１における支持壁２５は各開口部２１の左側面２１ｌ、右側面２１ｒ及び底面２１ｆを部分的に区画したが、支持壁２５は各開口部２１の左側面２１ｌ、右側面２１ｒ及び底面２１ｆの全体を区画しても良い。支持壁２５は、各開口部２１の左側面２１ｌ、右側面２１ｒ及び底面２１ｆに加えて頂面２１ｔを区画しても良いし、各開口部２１の裏側面２１ｂの一部を区画しても良い。更には、支持壁２５は、各開口部２１の左側面２１ｌ、右側面２１ｒ、底面２１ｆ、頂面２１ｔ及び裏側面２１ｂの何れか１つのみを区画しても良いし、これらから任意に選択された複数を区画しても良い。勿論、実施例１のユニット式壁１のように、枠体２は支持壁２５を有さなくても良い。支持壁２５の面積が大きければ、それだけ、嵌め込みピース５を開口部２１内において安定的に支持できる。一方、支持壁２５がなければユニット式壁１のコストを低減できる。
【００７５】
実施例２のユニット式壁１における第２位置決め部５４及び第１位置決め部２６は、第２位置決め部５４の位置決め係合部５４ｅが第１位置決め部２６に入り込んで係合するものであったが、第２位置決め部５４は単に第１位置決め部２６に入り込むだけであっても良い。第２位置決め部５４及び第１位置決め部２６が互いに係合する場合には、嵌め込みピース５を開口部２１内においてより一層安定的に支持できる。一方、第２位置決め部５４が単に第１位置決め部２６に入り込むだけであれば、第１位置決め部２６及び第２位置決め部５４を簡単な形状にでき、ユニット式壁１に要する製造コストを削減できる。
【００７６】
（実施例３）
実施例３のユニット式壁は、第１機能ピースが第１分岐流通経路を有さず第２分岐流通経路のみを有すること、及び、第２主流通経路及び第２分岐流通経路の構造において、実施例１のユニット式壁と異なる。それ以外は、実施例３のユニット式壁は実施例１のユニット式壁と概略同じものである。
図６〜図８は、実施例３のユニット式壁における第２主流通経路及び第１機能ピースを模式的に表す説明図である。詳しくは、図６は第２分岐流通経路を第２主流通経路に取付ける前の第２主流通経路及び第１機能ピースの断面を模式的に表す。図７は第２分岐流通経路の第２連絡部を第２主流通経路の第２分岐口に取付け、かつ、バルブを開く前の、第２主流通経路及び第１機能ピースの断面を模式的に表す。図８は第２分岐流通経路の第２連絡部を第２主流通経路の第２分岐口に取付け、かつ、バルブを開いた後の、第２主流通経路及び第１機能ピースの断面を模式的に表す。
以下、実施例１のユニット式壁との相違点を中心に実施例３のユニット式壁を説明する。
【００７７】
図６に示すように、実施例３のユニット式壁１における第２主流通経路３２は、左右方向に延びる管状の主部３２ｍと、表裏方向に延びる管状の第２分岐口３２ｏとを有する。第２分岐口３２ｏの裏側端部は主部３２ｍに一体化され、第２分岐口３２ｏの内部と主部３２ｍの内部とは連絡している。第２分岐口３２ｏの表側端部３２ｔは、中心部に貫通孔ｖｏを有する有底の筒状をなす。当該第２分岐口３２ｏのうち主部３２ｍ側、つまり、裏側の外周面には、鍔状をなす係止部３２ｅが設けられている。更に、第２分岐口３２ｏにおける表側端部３２ｔの近傍の外周面には、Ｏリング８０が装着されている。
【００７８】
第２分岐口３２ｏの内部にはバルブｖ３が取付けられている。バルブｖ３は、第２分岐口３２ｏの内部において表側端部３２ｔよりも裏側に配置される蓋部ｖｒと、蓋部ｖｒを表側端部３２ｔに向けて押圧する弾性体ｖｓと、を有する。蓋部ｖｒの外径は表側端部３２ｔにおける貫通孔ｖｏの孔径よりもやや大きいため、蓋部ｖｒは表側端部３２ｔの貫通孔ｖｏを閉じ得る。
【００７９】
実施例３のユニット式壁１における第２分岐流通経路６２は、弾性材料からなり筒状をなす分岐管部６５と、剛体からなり略リング状をなし分岐管部６５に外装されるストッパ部８１と、ロッド状をなし分岐管部６５の内部に保持される開駆動部８２と、を有する。
分岐管部６５の裏側端部である第２連絡部６２ｉは、第１区画部５５に一体化され、かつ、第１区画部５５の内部に配置されている。分岐管部６５は裏側から表側に向けて延び、分岐管部６５の表側端部６５ｔは、第１区画部５５の外部に露出している。図示しないが、当該表側端部６５ｔには蛇口が取付けられる。
【００８０】
分岐管部６５は、ロッド状の開駆動部８２を支持する支持部６５ｓを内部に有する。支持部６５ｓは分岐管部６５の内部に橋状に架け渡されているため、流体は分岐管部６５の内部を流通可能である。開駆動部８２は、分岐管部６５の内部において、分岐管部６５の軸方向つまり表側−裏側方向に支持され、かつ、表側−裏側方向にスライド可能である。開駆動部８２の外周面には係合突起８２ｅが設けられ、支持部６５ｓには当該係合突起８２ｅと係合可能な係合爪６５ｅが設けられている。
【００８１】
実施例３のユニット式壁１における第１機能ピース５１は、実施例１のユニット式壁１における第１機能ピース５１と同様に、図略の枠体２の開口部２１に嵌め込まれる。このとき、図７に示すように、第２連絡部６２ｉを第２分岐口３２ｏに装着する。具体的には、先ず、図６に示すように、ストッパ部８１を第２連絡部６２ｉの裏端よりもやや表側に位置させて、第２連絡部６２ｉを第２分岐口３２ｏにあてがいつつ裏側に向けて押し付ける。第２連絡部６２ｉの内径は係止部３２ｅの外径よりもやや小さいため、第２連絡部６２ｉは弾性変形しつつ第２分岐口３２ｏに外装される。次いで、ストッパ部８１を裏側に向けてスライドさせ、ストッパ部８１と係止部３２ｅとによって第２連絡部６２ｉを圧縮状態で挟み込む。このことにより、第２連絡部６２ｉと第２分岐口３２ｏとは、係止部３２ｅの外周側において密着し、両者は液密にシールされる。また、第２分岐口３２ｏにおける表側端部３２ｔの近傍においては、第２連絡部６２ｉと第２分岐口３２ｏとの間にＯリング８０が介在するため、この部分においても、第２連絡部６２ｉと第２分岐口３２ｏとは液密にシールされる。
【００８２】
ところで、図７に示すように第２連絡部６２ｉと第２分岐口３２ｏとを取付けた時点では、バルブｖ３の蓋部ｖｒは弾性体ｖｓによって表側に押圧され、表側端部３２ｔの貫通孔ｖｏを閉じている。つまりこのときバルブｖ３は閉じられたままである。
この状態から、弾性体ｖｓの弾性力に抗して開駆動部８２を裏側に向けて押し込むと、図８に示すように、蓋部ｖｒが裏方向に位置変化して表側端部３２ｔの貫通孔ｖｏが開かれ、バルブｖ３が開かれる。なお、開駆動部８２を裏側に向けて押し込むと、開駆動部８２の係合突起８２ｅと支持部６５ｓの係合爪６５ｅとが係合する。このため、開駆動部８２がバルブｖ３を開く位置にロックされる。
【００８３】
実施例３のユニット式壁１では、第２連絡部６２ｉと第２分岐口３２ｏとの取付時に第２分岐流通経路６２に流体を流通させないように、先ず、第２連絡部６２ｉと第２分岐口３２ｏとを取付けて、その後にバルブｖ３を開いている。このことにより、第２連絡部６２ｉと第２分岐口３２ｏとの取付時における、第２連絡部６２ｉと第２分岐口３２ｏとの継ぎ目等からの流体の漏出が抑制される。
また、実施例３のユニット式壁１では、第２連絡部６２ｉ及び第２分岐口３２ｏは、第１区画部５５の内部に納められる。このため、万が一第２連絡部６２ｉと第２分岐口３２ｏとの継ぎ目から流体が漏出した場合にも、当該漏出した流体は第１区画部５５の内部に回収され、第１区画部５５の外部にまでは漏出し難い。このため、実施例３のユニット式壁１によると、外界への流体の漏出を信頼性高く抑制できる。実施例１のユニット式壁１と同様に、検知装置を第１区画部５５の中に配設し、流体の漏出を検知すれば、外界への流体の漏出をより一層抑制できる。
【００８４】
実施例３のユニット式壁１では、第２連絡部６２ｉ及び第２分岐口３２ｏを互いに液密に取付けられるクイックコネクタ様の構造とした。しかし、本発明のユニット式壁１における第２連絡部６２ｉ及び第２分岐口３２ｏの取付機構はこれに限定されず、既知の種々の取付機構を用いることができる。なお、第２連絡部６２ｉ及び第２分岐口３２ｏは、その内部を流通する流体が漏出し難いような機構で互いに取付けられるのが好ましいが、既述したように、流体の種類によっては漏出が許容される場合もある。
【００８５】
（実施例４）
実施例４のユニット式壁は、枠体の形状および嵌め込みピースの形状が異なること以外は、実施例１のユニット式壁と概略同じものである。図９は実施例４のユニット式壁を模式的に表す説明図である。
【００８６】
図９に示すように、実施例４のユニット式壁１においては、枠体２の柱２０は、上下方向及び表裏方向においては直線的に延び、左右方向においては湾曲して延びる。このため、枠体２の開口部２１は、上下方向における同位置、つまり行Ｌ５〜Ｌ９のうち同じ行に属するものにおいては、互いに異なる形状となる。しかし、当該開口部２１の形状は、左右方向における同位置、つまり列Ｌ１〜Ｌ４のうち同じ列に属するものにおいては、互いに同形状となる。このため、実施例４のユニット式壁１は、同形状の開口部２１を、枠体２の列Ｌ１〜Ｌ４の数に対応する複数組有するということができる。そして、実施例４のユニット式壁１では、この同形状の開口部２１の間で、嵌め込みピース５を適宜入れ替えることが可能である。よって、実施例４のユニット式壁１もまた実施例１のユニット式壁１と同様に汎用性に優れるといい得る。
【００８７】
（実施例５）
実施例５のユニット式壁は、枠体の形状および嵌め込みピースの形状が異なること以外は、実施例１のユニット式壁と概略同じものである。図１０は実施例５のユニット式壁を模式的に表す説明図である。
【００８８】
図１０に示すように、実施例５のユニット式壁１においては、枠体２の柱２０は、左右方向及び表裏方向においては直線的に延び、上下方向においては湾曲して延びる。このため、枠体２の開口部２１は、左右方向における同位置、つまり列Ｌ１〜Ｌ５のうち同じ列に属するものにおいては、互いに異なる形状となる。しかし、当該開口部２１の形状は、上下方向における同位置、つまり行Ｌ６〜Ｌ９のうち同じ行に属するものにおいては、互いに同形状となる。このため、実施例５のユニット式壁１もまた、同形状の開口部２１を、枠体２の行Ｌ６〜Ｌ９の数に対応する複数組有するということができる。そして、実施例５のユニット式壁１もまた、この同形状の開口部２１の間で、嵌め込みピース５を適宜入れ替えることが可能であるために、汎用性に優れるといい得る。
【００８９】
なお、実施例４及び実施例５では、枠体２の柱２０が一方向のみに湾曲したユニット式壁１を紹介したが、本発明のユニット式壁１における枠体２はこれに限定されず、同形状の複数の開口部２１を区画形成できさえすれば良く、如何なる形状であっても良い。
また、本発明のユニット式壁１は、上下方向に延びる壁に限定されず、例えば天井のようなユーザーの上方に配置される壁であっても良いし、床のようなユーザーの下方に配置される壁であっても良い。
【００９０】
（実施例６）
実施例６のユニット式壁は、第１機能ピースに２種の分岐流通経路及び電器用の給電機能を有する電気経路を設けた例である。当該２種の分岐流通経路の一方は、水を流体とする、実施例１の第２分岐流通経路と同様の流通経路である。当該２種の分岐流通経路の他方は、燃料ガスを流体とする流通経路である。
実施例６のユニット式壁は、主流通経路及び分岐流通経路を流通する流体の種類、及び、電気経路を有する点において実施例１のユニット式壁と異なるが、それ以外は実施例１のユニット式壁と概略同じである。
図１１は実施例６のユニット式壁における第１機能ピースを模式的に表す説明図である。以下、実施例１のユニット式壁との相違点を中心に実施例６のユニット式壁を説明する。
【００９１】
実施例６のユニット式壁１における第１機能ピース５１は、２種の分岐流通経路と電気経路とを有する。
当該２種の分岐流通経路の一方は、水を流体とし、第２出入口部６２ｏとして蛇口を有する、第２分岐流通経路６２である。当該２種の分岐流通経路の他方は、燃料ガスを流体とし、第３出入口部６３ｏとしてガスコンロやガスストーブに代表されるガス器機用のガス栓を有する、第３分岐流通経路６３である。第２分岐流通経路６２は図略の第２主流通経路３２に連絡し、第３分岐流通経路６３は図略の第３連絡部を介して、図略の第３主流通経路の第３分岐口に連絡する。第３主流通経路は内部に燃料ガスが流通するガス管であり、第２主流通経路３２は実施例１のユニット式壁１における第２主流通経路３２と概略同じである。
【００９２】
電気経路は分岐電気経路７０を有し、当該分岐電気経路７０は電器が接続されるコンセント７１を有する。コンセント７１は、第２出入口部６２ｏ及び第３出入口部６３ｏとともに、第１機能ピース５１の表側に露出する。コンセント７１の裏側には、分岐電気経路７０が延びている。当該分岐電気経路７０におけるコンセント７１とは逆側の端部である電気連絡部（図略）は、図略の第２連絡部６２ｉ及び第３連絡部とともに第１機能ピース５１の裏側に露出し、図略の主電気経路の電気分岐部に接続される。
【００９３】
実施例６のユニット式壁１は、第２主流通経路３２及び第３主流通経路とともに図略の枠体２の裏側に配策される、図略の主電気経路を有する。当該主電気経路は、各開口部２１の裏側に各々電気分岐部を有し、当該電気分岐部には電気連絡部が接続される。
第２主流通経路３２、第３主流通経路、及び主電気経路のうち、第３主流通経路は最も上側に配置され、第２主流通経路３２は最も下側に配置される。したがって、第２分岐流通経路６２、第３分岐流通経路６３及び分岐電気経路７０についても、第３分岐流通経路６３は最も上側に配置され、第２分岐流通経路６２は最も下側に配置される。同様に、第１機能ピース５１の表側に露出する第２出入口部６２ｏ、第３出入口６３ｏ部及びコンセント７１についても、第３出入口部６３ｏは最も上側に配置され、第２出入口部６２ｏは最も下側に配置される。
【００９４】
実施例６のユニット式壁１は、同一の第１機能ピース５１に、第２分岐流通経路６２及び第３分岐流通経路６３に加えて分岐電気経路７０を設けたことで、ユニット式壁１に、燃料ガス及び水という異なる２種の流体の供給機能に加えて、給電機能をも付与したものである。このような実施例６のユニット式壁１は、汎用性に優れたものといい得る。
【００９５】
更に、実施例６のユニット式壁１では、燃料ガスの流通経路である第３主流通経路及び第３分岐流通経路６３を最も上側に配置し、その下側に電気の流通経路である主電気経路及び分岐電気経路７０を配置し、水の流通経路である第２主流通経路３２及び第２分岐流通経路６２を最も下側に配置した。空気よりも軽い燃料ガスであれば、燃料ガスの流通経路を電気の流通経路よりも上側におくことで、安全性が向上する。また、電気の流通経路を水の流通経路よりも上側におくことによっても、安全性が向上する。
【００９６】
本発明は、上記し且つ図面に示した実施形態にのみ限定されるものではなく、要旨を逸脱しない範囲内で適宜変更して実施できる。また、実施形態を含む本明細書に示した各構成要素は、それぞれ任意に抽出し組み合わせて実施できる。
【符号の説明】
【００９７】
１：ユニット式壁                  ２：枠体
２１：開口部                      ３：主流通経路
３１：第１主流通経路              ３２：第２主流通経路
３１ｏ、３２ｏ：分岐口            ５：嵌め込みピース
５１、５２：機能ピース            ５３：壁面形成ピース
５５、５６、５７：区画部          ５７：壁部
５８、５９：第２の壁部            ６１、６２、６３：分岐流通経路
６１：第１分岐流通経路            ６２：第２分岐流通経路
６１ｉ、６２ｉ：連絡部            ６１ｏ、６２ｏ、６３ｏ：出入口部
８２：開駆動部                    ９０、９１：検知装置
９５：流路区画部                  ｖ３：バルブ
【図１】
2020117937.tif 000003
【図２】
2020117937.tif 000004
【図３】
2020117937.tif 000005
【図４】
2020117937.tif 000006
【図５】
2020117937.tif 000007
【図６】
2020117937.tif 000008
【図７】
2020117937.tif 000009
【図８】
2020117937.tif 000010
【図９】
2020117937.tif 000011
【図１０】
2020117937.tif 000012
【図１１】
2020117937.tif 000013